(57)【要約】  重要な領域が隠れないように、情報端末から受信した画像と情報機器の機能に関わる画像とを合成して表示する。画像受信部１１５１は、情報端末１５０から、輝度又は色度からなる特徴値が互いに同一である画素により構成された特定の領域を有する情報端末画像を受信する。特定領域検出部１１３１は、受信された情報端末画像を構成する画素の特徴値に基づいて、情報端末画像内において特定の領域を検出する。車載機器画像生成部１１３２は、車載機器１１０が備える機能に関わる車載機器画像を生成する。合成画像生成部１１３３は、情報端末画像内における検出された特定の領域に、生成された車載機器画像が埋め込まれた合成画像を生成する。表示制御部１１３４は、生成された合成画像を表示装置に表示する。
2014024617.tif 000002
【特許請求の範囲】
【請求項１】
情報端末から、輝度又は色度からなる特徴値が互いに同一である画素により構成された特定の領域を有する情報端末画像を受信する画像受信部と、
前記画像受信部によって受信された前記情報端末画像を構成する画素の前記特徴値に基づいて、前記情報端末画像内において前記特定の領域を検出する特定領域検出部と、
情報機器が備える機能に関わる情報機器画像を生成する情報機器画像生成部と、
前記情報端末画像内における、前記特定領域検出部によって検出された特定の領域に、前記情報機器画像生成部により生成された前記情報機器画像が埋め込まれた合成画像を生成する合成画像生成部と、
前記合成画像生成部によって生成された合成画像を表示装置に表示する表示制御部と、
を備えることを特徴とする情報機器。
【請求項２】
前記情報機器が備える機能を実現するための処理を実行する処理実行部と、
前記表示制御部によって表示された合成画像内における位置の指定を受け付ける位置指定受付部と、
前記位置指定受付部によって受け付けられた指定に基づく位置が、前記特定の領域とそれ以外の領域とのどちらに属するかを判別する位置判別部と、
前記位置判別部によって、前記指定に基づく位置が前記特定の領域に属すると判別された場合、前記指定に基づく位置から求められる、前記情報機器画像内における位置を示す情報を前記処理実行部に供給する位置情報供給部と、を更に備え、
前記処理実行部は、前記位置情報供給部から供給された情報に基づいて、前記機能を実現するための処理を実行する、
ことを特徴とする請求項１に記載の情報機器。
【請求項３】
前記位置指定受付部によって受け付けられた指定に基づいて、前記特定の領域と前記それ以外の領域との境界を跨ぐ、前記それ以外の領域を始点とするドラッグ操作である第１のドラッグ操作を検出する第１のドラッグ操作検出部、を更に備え、
前記位置情報供給部は、前記第１のドラッグ操作検出部によって、前記第１のドラッグ操作が検出された場合、前記第１のドラッグ操作検出部によって前記第１のドラッグ操作が検出されなくなるまで、前記情報機器画像内における位置を示す情報を前記処理実行部に供給しない、
ことを特徴とする請求項２に記載の情報機器。
【請求項４】
前記表示制御部によって表示された合成画像内における位置の指定を受け付ける位置指定受付部と、
前記位置指定受付部によって受け付けられた指定に基づく位置が、前記特定領域とそれ以外の領域とのどちらに属するかを判別する位置判別部と、
前記位置判別部によって、前記指定に基づく位置が前記それ以外の領域に属すると判別された場合、前記指定に基づく位置を示す情報を前記情報端末に送信する位置情報送信部と、を更に備える、
ことを特徴とする請求項１乃至３の何れか一項に記載の情報機器。
【請求項５】
前記位置指定受付部によって受け付けられた指定に基づいて、前記特定の領域と前記それ以外の領域との境界を跨ぐ、前記特定の領域を始点とするドラッグ操作である第２のドラッグ操作を検出する第２のドラッグ操作検出部、を更に備え、
前記位置情報送信部は、前記第２のドラッグ操作検出部によって前記第２のドラッグ操作が検出された場合、前記第２のドラッグ操作検出部によって前記第２のドラッグ操作が検出されなくなるまで、前記指定に基づく位置を示す情報を前記情報端末に送信しない、
ことを特徴とする請求項４に記載の情報機器。
【請求項６】
輝度又は色度からなる特徴値が互いに同一である画素により構成された特定の領域を有する情報端末画像を生成する情報端末画像生成部と、
前記情報端末画像生成部が生成した前記情報端末画像を情報機器に送信する画像送信部と、
前記情報端末画像内における位置を示す情報を前記情報機器から受信する位置情報受信部と、
前記位置情報受信部が受信した位置を示す情報に基づいて、情報端末が備える機能を実現するための処理を実行する処理実行部と、
を備えることを特徴とする情報端末。
【請求項７】
輝度又は色度からなる特徴値が互いに同一である画素により構成された特定の領域を有する情報端末画像を生成する情報端末画像生成部と、
前記情報端末画像生成部が生成した前記情報端末画像を情報機器に送信する画像送信部と、を備える情報端末と、
前記情報端末から、前記情報端末画像を受信する画像受信部と、
前記画像受信部によって受信された前記情報端末画像を構成する画素の前記特徴値に基づいて、前記情報端末画像内において前記特定の領域を検出する特定領域検出部と、
情報機器が備える機能に関わる情報機器画像を生成する情報機器画像生成部と、
前記情報端末画像内における、前記特定領域検出部によって検出された特定の領域に、前記情報機器画像生成部により生成された前記情報機器画像が埋め込まれた合成画像を生成する合成画像生成部と、
前記合成画像生成部によって生成された合成画像を表示装置に表示する表示制御部と、を備える情報機器と、
を備えることを特徴とする情報システム。
【請求項８】
情報端末から、輝度又は色度からなる特徴値が互いに同一である画素により構成された特定の領域を有する情報端末画像を受信する画像受信ステップと、
前記画像受信ステップによって受信された前記情報端末画像を構成する画素の前記特徴値に基づいて、前記情報端末画像内において前記特定の領域を検出する特定領域検出ステップと、
情報機器が備える機能に関わる情報機器画像を生成する情報機器画像生成ステップと、
前記情報端末画像内における、前記特定領域検出ステップによって検出された特定の領域に、前記情報機器画像生成ステップにより生成された前記情報機器画像が埋め込まれた合成画像を生成する合成画像生成ステップと、
前記合成画像生成ステップによって生成された合成画像を表示装置に表示する表示制御ステップと、
を含むことを特徴とする画像合成方法。
【請求項９】
コンピュータに、
情報端末から、輝度又は色度からなる特徴値が互いに同一である画素により構成された特定の領域を有する情報端末画像を受信する画像受信処理と、
前記画像受信処理によって受信された前記情報端末画像を構成する画素の前記特徴値に基づいて、前記情報端末画像内において前記特定の領域を検出する特定領域検出処理と、
情報機器が備える機能に関わる情報機器画像を生成する情報機器画像生成処理と、
前記情報端末画像内における、前記特定領域検出処理によって検出された特定の領域に、前記情報機器画像生成処理により生成された前記情報機器画像が埋め込まれた合成画像を生成する合成画像生成処理と、
前記合成画像生成処理によって生成された合成画像を表示装置に表示する表示制御処理と、
を実行させることを特徴とするプログラム。
【発明の詳細な説明】
【技術分野】
【０００１】
本発明は、情報機器、情報端末、情報システム、画像合成方法及びプログラムに関する。
【背景技術】
【０００２】
スマートフォン等の情報端末と車載モニタ等の車載機器とを無線通信などにより相互に接続することにより、情報端末と車載機器とを連携させる発明が知られている。例えば、特許文献１には、携帯端末から受信した画像と、車載装置の操作に関わる画像（操作画面）とを合成して、車載機器が備えるタッチパネルに表示する発明が開示されている。【０００３】
特許文献１に開示された発明では、車載機器が、携帯端末から受信した画像のサイズや車載装置の操作に関わる画像のサイズなどに基づいて、携帯端末から受信した画像と車載装置の操作に関わる画像とをどのような位置関係で合成するのかを決定している。
【先行技術文献】
【特許文献】
【０００４】
【特許文献１】特開２０１０−１３０５５３号公報
【発明の概要】
【発明が解決しようとする課題】
【０００５】
しかしながら、特許文献１に開示された発明では、車載装置は、携帯端末から受信した画像内において、どの部分がユーザにとって重要な領域であるのかを考慮せずに位置関係を決定していた。このため、特許文献１に開示された発明では、携帯端末から受信した画像内における、ユーザにとって重要な情報が提示される領域（重要な領域）が、車載装置の操作に関わる画像に隠れてしまうことがあった。そこで、携帯端末から受信した画像内における重要な領域が隠れないように、携帯端末から受信した画像と車載装置の操作に関わる画像とを合成して表示したいという要望がある。【０００６】
本発明は、上記実情に鑑みてなされたものであり、重要な領域が隠れないように、情報端末から受信した画像と車載機器の機能に関わる画像とを合成して表示することが可能な情報機器、情報端末、情報システム、画像合成方法及びプログラムを提供することを目的とする。
【課題を解決するための手段】
【０００７】
上記目的を達成するために、本発明の第１の観点に係る情報機器は、
情報端末から、輝度又は色度からなる特徴値が互いに同一である画素により構成された特定の領域を有する情報端末画像を受信する画像受信部と、
前記画像受信部によって受信された前記情報端末画像を構成する画素の前記特徴値に基づいて、前記情報端末画像内における前記特定の領域を検出する特定領域検出部と、
情報機器が備える機能に関わる情報機器画像を生成する情報機器画像生成部と、
前記情報端末画像内における、前記特定領域検出部によって検出された特定の領域に、前記情報機器画像生成部により生成された前記情報機器画像が埋め込まれた合成画像を生成する合成画像生成部と、
前記合成画像生成部によって生成された合成画像を表示装置に表示する表示制御部と、
を備えることを特徴とする。【０００８】
前記情報機器が備える機能を実現するための処理を実行する処理実行部と、
前記表示制御部によって表示された合成画像内における位置の指定を受け付ける位置指定受付部と、
前記位置指定受付部によって受け付けられた指定に基づく位置が、前記特定の領域とそれ以外の領域とのどちらに属するかを判別する位置判別部と、
前記位置判別部によって、前記指定に基づく位置が前記特定の領域に属すると判別された場合、前記指定に基づく位置から求められる、前記情報機器画像内における位置を示す情報を前記処理実行部に供給する位置情報供給部と、を更に備え、
前記処理実行部は、前記位置情報供給部から供給された情報に基づいて、前記機能を実現するための処理を実行してもよい。【０００９】
前記位置指定受付部によって受け付けられた指定に基づいて、前記特定の領域と前記それ以外の領域との境界を跨ぐ、前記それ以外の領域を始点とするドラッグ操作である第１のドラッグ操作を検出する第１のドラッグ操作検出部、を更に備え、
前記位置情報供給部は、前記第１のドラッグ操作検出部によって、前記第１のドラッグ操作が検出された場合、前記第１のドラッグ操作検出部によって前記第１のドラッグ操作が検出されなくなるまで、前記情報機器画像内における位置を示す情報を前記処理実行部に供給しなくてもよい。【００１０】
前記表示制御部によって表示された合成画像内における位置の指定を受け付ける位置指定受付部と、
前記位置指定受付部によって受け付けられた指定に基づく位置が、前記特定領域とそれ以外の領域とのどちらに属するかを判別する位置判別部と、
前記位置判別部によって、前記指定に基づく位置が前記それ以外の領域に属すると判別された場合、前記指定に基づく位置を示す情報を前記情報端末に送信する位置情報送信部と、を更に備えてもよい。【００１１】
前記位置指定受付部によって受け付けられた指定に基づいて、前記特定の領域と前記それ以外の領域との境界を跨ぐ、前記特定の領域を始点とするドラッグ操作である第２のドラッグ操作を検出する第２のドラッグ操作検出部、を更に備え、
前記位置情報送信部は、前記第２のドラッグ操作検出部によって前記第２のドラッグ操作が検出された場合、前記第２のドラッグ操作検出部によって前記第２のドラッグ操作が検出されなくなるまで、前記指定に基づく位置を示す情報を前記情報端末に送信しなくてもよい。【００１２】
また、本発明の第２の観点に係る情報端末は、
輝度又は色度からなる特徴値が互いに同一である画素により構成された特定の領域を有する情報端末画像を生成する情報端末画像生成部と、
前記情報端末画像生成部が生成した前記情報端末画像を情報機器に送信する画像送信部と、
前記情報端末画像内における位置を示す情報を前記情報機器から受信する位置情報受信部と、
前記位置情報受信部が受信した位置を示す情報に基づいて、情報端末が備える機能を実現するための処理を実行する処理実行部と、
を備えることを特徴とする。【００１３】
また、本発明の第３の観点に係る情報システムは、
輝度又は色度からなる特徴値が互いに同一である画素により構成された特定の領域を有する情報端末画像を生成する情報端末画像生成部と、
前記情報端末画像生成部が生成した前記情報端末画像を情報機器に送信する画像送信部と、を備える情報端末と、
前記情報端末から、前記情報端末画像を受信する画像受信部と、
前記画像受信部によって受信された前記情報端末画像を構成する画素の前記特徴値に基づいて、前記情報端末画像内において前記特定の領域を検出する特定領域検出部と、
情報機器が備える機能に関わる情報機器画像を生成する情報機器画像生成部と、
前記情報端末画像内における、前記特定領域検出部によって検出された特定の領域に、前記情報機器画像生成部により生成された前記情報機器画像が埋め込まれた合成画像を生成する合成画像生成部と、
前記合成画像生成部によって生成された合成画像を表示装置に表示する表示制御部と、を備える情報機器と、
を備えることを特徴とする。【００１４】
また、本発明の第４の観点に係る画像合成方法は、
情報端末から、輝度又は色度からなる特徴値が互いに同一である画素により構成された特定の領域を有する情報端末画像を受信する画像受信ステップと、
前記画像受信ステップによって受信された前記情報端末画像を構成する画素の前記特徴値に基づいて、前記情報端末画像内において前記特定の領域を検出する特定領域検出ステップと、
情報機器が備える機能に関わる情報機器画像を生成する情報機器画像生成ステップと、
前記情報端末画像内における、前記特定領域検出ステップによって検出された特定の領域に、前記情報機器画像生成ステップにより生成された前記情報機器画像が埋め込まれた合成画像を生成する合成画像生成ステップと、
前記合成画像生成ステップによって生成された合成画像を表示装置に表示する表示制御ステップと、
を含むことを特徴とする。【００１５】
また、本発明の第５の観点に係るプログラムは、
コンピュータに、
情報端末から、輝度又は色度からなる特徴値が互いに同一である画素により構成された特定の領域を有する情報端末画像を受信する画像受信処理と、
前記画像受信処理によって受信された前記情報端末画像を構成する画素の前記特徴値に基づいて、前記情報端末画像内において前記特定の領域を検出する特定領域検出処理と、
情報機器が備える機能に関わる情報機器画像を生成する情報機器画像生成処理と、
前記情報端末画像内における、前記特定領域検出処理によって検出された特定の領域に、前記情報機器画像生成処理により生成された前記情報機器画像が埋め込まれた合成画像を生成する合成画像生成処理と、
前記合成画像生成処理によって生成された合成画像を表示装置に表示する表示制御処理と、
を実行させることを特徴とする。
【発明の効果】
【００１６】
本発明によれば、重要な領域が隠れないように、情報端末から受信した画像と情報機器の機能に関わる画像とを合成して表示することが可能な情報機器、情報端末、情報システム、画像合成方法及びプログラムを提供することができる。
【図面の簡単な説明】
【００１７】
【図１】本発明の第１の実施形態に係る車載情報システムの外観を示す図である。
【図２】本発明の第１の実施形態に係る車載情報システムの構成を示す図である。
【図３】特定領域のサイズを指定するサイズ指定情報を示す図である。
【図４】（Ａ）は、本発明の第１の実施形態に係る車載機器の機能ブロック図である。（Ｂ）は、本発明の第１の実施形態に係る情報端末の機能ブロック図である。
【図５】本発明の第１の実施形態に係る画像合成処理を示すシーケンス図である。
【図６】（Ａ）は、情報端末画像の具体例を示す図である。（Ｂ）は、車載機器画像の具体例を示す図である。（Ｃ）は、合成画像の具体例を示す図である。
【図７】本発明の第１の実施形態に係る合成後タッチ処理を示すシーケンス図である。
【図８】本発明の第２の実施形態に係る車載機器の機能ブロック図である。
【図９】本発明の第２の実施形態に係るドラッグ操作処理を示すシーケンス図である。
【図１０】（Ａ）は、車載機器画像の変形例を示す図である。（Ｂ）は、合成画像の変形例を示す図である。
【図１１】機能ボタンがソフトウェアキーから構成されている例を示す図である。
【図１２】（Ａ）は、特定領域のサイズと位置とを指定するサイズ指定情報を示す図である。（Ｂ）は、特定領域を構成する画素の色を指定する色指定情報を示す図である。（Ｃ）は、特定領域のサイズを特定領域の半径により指定するサイズ指定情報を示す図である。
【発明を実施するための形態】
【００１８】
以下、本発明を情報機器として車載機器に適用した実施形態に係る車載情報システム１００について、図面を参照して説明する。
【００１９】
（第１の実施形態）
第１の実施形態に係る車載情報システム１００は、図１の外観図に示すように、車載機器１１０と情報端末１５０とが、互いに無線通信により接続されて構成されるシステムである。本発明において、車載機器１１０と情報端末１５０とが有線通信により相互に接続されてもよい。
【００２０】
図示するように、車載情報システム１００は、情報端末１５０が備える機能に関わる画像を、車載機器１１０が備えるタッチパネル１１１に表示することが可能である。ここで、情報端末１５０が備える機能に関わる画像は、例えば、情報端末１５０がアプリケーションプログラムを実行することにより生成される画像である。つまり、この画像は、情報端末１５０が実行するアプリケーションソフトウェアが提供するＧＵＩ（Graphical  User  Interface）の画像である。また、車載情報システム１００では、ユーザは、車載機器１１０が備えるタッチパネル１１１を操作することにより、情報端末１５０が実行するアプリケーションソフトウェアに指示を与えることが可能である。
【００２１】
車載機器１１０は、車載モニタ等から構成されるデバイスである。また、車載機器１１０は、図示するように、タッチパネル１１１、機能ボタン１１２（１１２ａ、１１２ｂ、１１２ｃ）、を備える。
【００２２】
タッチパネル１１１は、表示装置（液晶ディスプレイ、有機ＥＬ（Electro  Luminescence）ディスプレイ等）と入力装置（デジタイザ等）とを備える。
【００２３】
機能ボタン１１２は、ハードウェアキーから構成されており、車載機器１１０が備える複数の機能（アプリケーションソフトウェア）のうち、所望の機能の指定を受け付けるボタンである。一方、車載機器１１０は、指定された機能を実行し、実行中の機能に関わる画像をタッチパネル１１１に表示する。機能ボタン１１２は、図示するように、ラジオボタン１１２ａ、ＣＤ（Compact  Disc）ボタン１１２ｂ、戻るボタン１１２ｃから構成されている。
【００２４】
ラジオボタン１１２ａは、車載機器１１０に、後述するラジオ機能用プログラム１１４ａを実行させる指示を受け付けるボタンである。
【００２５】
ＣＤボタン１１２ｂは、車載機器１１０に、後述するＣＤ機能用プログラム１１４ｂを実行させる指示を受け付けるボタンである。
【００２６】
戻るボタン１１２ｃは、車載機器１１０に、車載機器１１０が現在実行中のアプリケーションプログラムを終了させる指示を受け付けるボタンである。
【００２７】
また、車載機器１１０は、図２の構成図に示すように、前述のタッチパネル１１１、機能ボタン１１２に加え、制御部１１３、記憶装置１１４、通信部１１５を備える。タッチパネル１１１、機能ボタン１１２、記憶装置１１４、通信部１１５は、バスなどを介して、制御部１１３に接続されている。
【００２８】
制御部１１３は、ＣＰＵ（Central  Processing  Unit）１１３ａ、ＲＯＭ（Read  Only  Memory）１１３ｂ、ＲＡＭ（Random  Access  Memory）１１３ｃ等を備え、車載機器１１０が備える各部の動作を制御する。
【００２９】
ＲＯＭ１１３ｂには、特定領域検出プログラム、車載機器画像生成プログラム、合成画像生成プログラム、表示制御プログラム、処理実行プログラム、位置指定受付プログラム、位置判別プログラム、位置情報供給プログラム等のプログラムが格納されている。これらのプログラムは、制御部１１３が後述する各機能を実現するために、ＣＰＵ１１３ａによって実行されるプログラムである。
【００３０】
ＲＡＭ１１３ｃは、ＣＰＵ１１３ａがＲＯＭ１１３ｂに格納されている各種プログラムを実行するためのワークエリアである。
【００３１】
記憶装置１１４は、フラッシュメモリ等から構成される。記憶装置１１４は、ラジオ機能用プログラム１１４ａ、ＣＤ機能用プログラム１１４ｂ、サイズ指定情報１１４ｃ等、を記憶している。
【００３２】
ラジオ機能用プログラム１１４ａは、ラジオを受信・再生するためのアプリケーションプログラムである。また、ラジオ機能用プログラム１１４ａは、制御部１１３によって実行されるアプリケーションプログラムである。
【００３３】
ＣＤ機能用プログラム１１４ｂは、ＣＤを再生するためのアプリケーションプログラムである。また、ＣＤ機能用プログラム１１４ｂは、制御部１１３によって実行されるアプリケーションプログラムである。
【００３４】
サイズ指定情報１１４ｃは、車載機器１１０から情報端末１５０に送信される情報である。また、サイズ指定情報１１４ｃは、情報端末１５０が実行するカーナビ機能用プログラム１５３ａに関わる画像内に設けられる特定領域１１１ａのサイズを指定する情報である。特定領域１１１ａは、互いに同一の色を有する画素により構成される領域である。なお、この領域を構成する画素の色は、輝度又は色度からなる特徴値によって表される。
【００３５】
また、サイズ指定情報１１４ｃは、図３に示すように、特定領域１１１ａのサイズを示す情報である。サイズ指定情報１１４ｃは、車載機器１１０が有する機能毎に用意される情報である。つまり、特定領域１１１ａのサイズは、機能毎にあらかじめ定められているものとする。
【００３６】
通信部１１５は、変復調回路、アンテナ等から構成され、無線通信により、後述する情報端末１５０の通信部１５４とデータの送受信を行うデバイスである。
【００３７】
また、車載機器１１０は、図４（Ａ）の機能ブロック図に示すように、特定領域検出部１１３１、車載機器画像生成部１１３２、合成画像生成部１１３３、表示制御部１１３４、処理実行部１１３５、位置指定受付部１１３６、位置判別部１１３７、位置情報供給部１１３８、画像受信部１１５１、位置情報送信部１１５２、を備える。
【００３８】
特定領域検出部１１３１、車載機器画像生成部１１３２、合成画像生成部１１３３、表示制御部１１３４、処理実行部１１３５、位置指定受付部１１３６、位置判別部１１３７、位置情報供給部１１３８は、制御部１１３が備えるＣＰＵ１１３ａによって、ＲＯＭ１１３ｂに格納されている特定領域検出プログラム、車載機器画像生成プログラム、合成画像生成プログラム、表示制御プログラム、処理実行プログラム、位置指定受付プログラム、位置判別プログラム、位置情報供給プログラム、が実行されることによって実現される。
【００３９】
画像受信部１１５１、位置情報送信部１１５２は、通信部１１５によって実現される。
【００４０】
なお、上記各機能の詳細は、シーケンス図を用いて後述する。
【００４１】
情報端末１５０は、図２に示すように、タッチパネル１５１、制御部１５２、記憶装置１５３、通信部１５４、を備える。タッチパネル１５１、記憶装置１５３、通信部１５４は、バスなどを介して、制御部１５２に接続されている。情報端末１５０は、例えば、スマートフォンなど携帯電話である。
【００４２】
タッチパネル１５１は、表示装置（液晶ディスプレイ、有機ＥＬ（Electro  Luminescence）ディスプレイ等）と入力装置（デジタイザ等）とから構成される。
【００４３】
制御部１５２は、ＣＰＵ１５２ａ、ＲＯＭ１５２ｂ、ＲＡＭ１５２ｃ等を備え、情報端末１５０が備える各部の動作を制御する。
【００４４】
ＲＯＭ１５２ｂには、情報端末画像生成プログラム、処理実行プログラム等が格納されている。情報端末画像生成プログラム、処理実行プログラムは、制御部１５２が後述する情報端末画像生成部１５２１、処理実行部１５２２として機能するためのプログラムであり、ＣＰＵ１５２ａによって実行される。
【００４５】
ＲＡＭ１５２ｃは、ＣＰＵ１５２ａがＲＯＭ１５２ｂに格納されている各種プログラムを実行するためのワークエリアである。
【００４６】
記憶装置１５３は、フラッシュメモリ等から構成される。記憶装置１５３は、カーナビ機能用プログラム１５３ａ、を備える。
【００４７】
カーナビ機能用プログラム１５３ａは、制御部１５２によって実行されるアプリケーションプログラムの一種であり、カーナビゲーション機能を実現するためのアプリケーションプログラムである。
【００４８】
通信部１５４は、変復調回路、アンテナ等から構成され、無線通信により、車載機器１１０とデータの送受信を行うデバイスである。
【００４９】
また、情報端末１５０は、図４（Ｂ）の機能ブロック図に示すように、情報端末画像生成部１５２１、処理実行部１５２２、画像送信部１５４１、位置情報受信部１５４２を備える。
【００５０】
情報端末画像生成部１５２１、処理実行部１５２２は、ＣＰＵ１５２ａがＲＯＭ１５２ｂに格納されている情報端末画像生成プログラム、処理実行プログラムを実行することによって実現される。
【００５１】
画像送信部１５４１、位置情報受信部１５４２は、通信部１５４によって実現される。
【００５２】
なお、情報端末画像生成部１５２１、処理実行部１５２２、画像送信部１５４１、位置情報受信部１５４２の詳細は、シーケンス図を用いて後述する。
【００５３】
次に、上記構成を有する車載情報システム１００の動作を説明する。前提として、図１に示すように、情報端末１５０と車載機器１１０とは互いに接続されており、情報端末１５０が実行するアプリケーションプログラムに関わる画像が車載機器１１０のタッチパネル１１１に表示されているものとする。
【００５４】
最初に、ユーザによって機能ボタン１１２が押下された際に、押下された機能ボタン１１２に対応するアプリケーションプログラムに関わる画像をタッチパネル１１１に表示する車載情報システム１００の処理（画像合成処理）を、図５に示すシーケンス図を参照して説明する。
【００５５】
（画像合成処理）
以下、ユーザによって押下された機能ボタン１１２がラジオボタン１１２ａであるものとして説明する。まず、制御部１１３は、サイズ指定情報１１４ｃを参照し、押下された機能ボタン１１２（ラジオボタン１１２ａ）の「機能（ラジオ）」に対応する、特定領域１１１ａの「サイズ（２４０＊４００）」を示す情報を、通信部１１５を介して、情報端末１５０に送信する（ステップＡ１１）。
【００５６】
続いて、制御部１１３（車載機器画像生成部１１３２）は、押下された機能ボタン１１２（ラジオボタン１１２ａ）に対応するアプリケーションプログラム（ラジオ機能用プログラム１１４ａ）を読み込む（ステップＡ１２）。
【００５７】
一方、情報端末１５０は、通信部１５４を介して、特定領域１１１ａの「サイズ（２４０＊４００）」を示す情報を受信する（ステップＢ１１）。
【００５８】
次に、制御部１５２（情報端末画像生成部１５２１）は、受信した情報に基づいて情報端末画像１１１ｂを生成する（ステップＢ１２）。
【００５９】
情報端末画像１１１ｂは、特定領域１１１ａを有する、カーナビ機能用プログラム１５３ａに関わる画像である。ここでは、特定領域１１１ａは、ＲＧＢ（０，０，２５５）で示される色を有する画素から構成されているものとする。つまり、制御部１５２（情報端末画像生成部１５２１）は、上記画像を構成する画素のうち、特定領域１１１ａを構成する画素の色をＲＧＢ（０，０，２５５）に設定することにより、情報端末画像１１１ｂを生成する。
【００６０】
制御部１５２（情報端末画像生成部１５２１）は、カーナビ機能用プログラム１５３ａに関わる画像内の任意の位置に特定領域１１１ａを設けることができる。制御部１５２（情報端末画像生成部１５２１）は、例えば、カーナビ機能用プログラム１５３ａに関わる画像内において重要度の低い領域（例えば、道路のない海、山等）に、特定領域１１１ａを設ける。
【００６１】
こうして、図６（Ａ）に示すように、制御部１５２（情報端末画像生成部１５２１）は、受信した情報（特定領域１１１ａのサイズが２４０＊４００であることを示す情報）に基づいて情報端末画像１１１ｂを生成する。なお、図中のハッチング部分は、ＲＧＢ（０，０，２５５）で示される色を有する画素から構成される特定領域１１１ａである。
【００６２】
続いて、制御部１５２は、情報端末画像１１１ｂを、通信部１５４（画像送信部１５４１）を介して車載機器１１０に送信する（ステップＢ１３）。
【００６３】
車載機器１１０は、通信部１１５（画像受信部１１５１）を介して情報端末画像１１１ｂを受信する（ステップＡ１３）。
【００６４】
次に、制御部１１３（特定領域検出部１１３１）は、受信された情報端末画像１１１ｂが有する特定領域１１１ａを検出する（ステップＡ１４）。
【００６５】
具体的には、制御部１１３（特定領域検出部１１３１）は、同一の色を有する画素が縦横に所定数（例えば、１００＊１００）以上連続して配置されている領域を検出し、検出された領域を特定領域１１１ａとして特定する。図６（Ａ）に示す例においては、特定領域検出部１１３１は、同一の色（ＲＧＢ（０，０，２５５））を有する画素が縦横に所定数以上（２４０＊４００）連続して配置されている領域（図中のハッチング部分）を特定領域１１１ａとして検出する。
【００６６】
続いて、車載機器画像生成部１１３２は、ステップＡ１２で読み込んだアプリケーションプログラム（ラジオ機能用プログラム１１４ａ）に基づいて、車載機器画像１１１ｃを生成する（ステップＡ１５）。車載機器画像１１１ｃは、図６（Ｂ）に示すような、車載機器画像生成部１１３２によって読み込まれた、アプリケーションプログラムに関わる画像である。
【００６７】
次に、合成画像生成部１１３３は、合成画像１１１ｄを生成する（ステップＡ１６）。合成画像１１１ｄは、図６（Ｃ）に示すような、受信された情報端末画像１１１ｂの特定領域１１１ａに、ステップＡ１５にて生成された車載機器画像１１１ｃが埋め込まれた画像である。
【００６８】
最後に、表示制御部１１３４は、生成された合成画像１１１ｄをタッチパネル１１１に表示する（ステップＡ１７）。
【００６９】
このようにして、情報端末画像１１１ｂと車載機器画像１１１ｃとが合成される。
【００７０】
次に、図６（Ｃ）に例示されるような合成画像１１１ｄがタッチパネル１１１に表示されている状態で、ユーザによってタッチ操作が行われた際の、車載情報システム１００の処理（合成後タッチ処理）を、図７に示すシーケンス図を参照して説明する。
【００７１】
（合成後タッチ処理）
まず、制御部１１３（位置指定受付部１１３６）が、ユーザによる位置の指定（タッチ操作）を受け付ける（ステップＡ２１）。指定される位置は、例えば、タッチパネル１１１上における座標（Ｘ座標、Ｙ座標）により表される。
【００７２】
続いて、制御部１１３（位置判別部１１３７）が、制御部１１３（位置指定受付部１１３６）によって受け付けられた指定に基づく位置（タッチ位置）が特定領域１１１ａに属するか否か（特定領域１１１ａとそれ以外の領域とのどちらに属するか）を判別する（ステップＡ２２）。
【００７３】
制御部１１３（位置判別部１１３７）が、制御部１１３（位置指定受付部１１３６）によって受け付けられた指定に基づく位置が特定領域１１１ａに属すると判別した場合（ステップＡ２２：ＹＥＳ）、制御部１１３（位置情報供給部１１３８）が、当該指定に基づく位置から求められる、車載機器画像１１１ｃ内における位置を示す情報を制御部１１３（処理実行部１１３５）に供給する（ステップＡ２３）。
【００７４】
なお、当該指定に基づく位置は、合成画像１１１ｄ内における位置であり、制御部１１３（処理実行部１１３５）に供給されるべき位置は、車載機器画像１１１ｃ内における相対的な位置である。従って、制御部１１３（位置情報供給部１１３８）は、情報端末画像１１１ｂに車載機器画像１１１ｃが埋め込まれた際の圧縮率もしくは拡大率と、合成画像１１１ｄ内における特定領域１１１ａの位置と、に基づいて、制御部１１３（処理実行部１１３５）に供給する位置を求めることができる。
【００７５】
そして、制御部１１３（処理実行部１１３５）は、制御部１１３（位置情報供給部１１３８）から供給された情報に基づいて、車載機器１１０が備える機能（ラジオ機能）を実現するための処理を実行する（ステップＡ２４）。
【００７６】
一方、制御部１１３（位置判別部１１３７）が、制御部１１３（位置指定受付部１１３６）によって受け付けられた指定に基づく位置がそれ以外の領域（特定領域１１１ａ以外の領域）に属すると判別すれば（ステップＡ２２：ＮＯ）、通信部１１５（位置情報送信部１１５２）は、当該指定に基づく位置を示す情報を情報端末１５０へ送信する（ステップＡ２５）。
【００７７】
情報端末１５０は、通信部１５４（位置情報受信部１５４２）を介して指定に基づく位置を示す情報を受信する（ステップＢ２１）。
【００７８】
次に、制御部１５２（処理実行部１５２２）は、受信した情報に基づき、情報端末１５０が備える機能を実現するための処理を実行する（カーナビ機能用プログラム１５３ａを実行する）（ステップＢ２２）。
【００７９】
このようにして、車載情報システム１００は、ユーザのタッチ操作を受け付け、当該タッチ操作に応じた処理を行う。
【００８０】
以上説明したように、第１の実施形態に係る車載情報システム１００によれば、重要な領域が隠れないように、情報端末１５０の機能に関わる画像と車載機器１１０の機能に関わる画像とを合成して、車載機器１１０のタッチパネル１１１に表示することができる。また、第１の実施形態に係る車載情報システム１００によれば、ユーザは、車載機器１１０が備えるタッチパネル１１１に表示される合成画像１１１ｄを参照して、車載機器１１０と情報端末１５０とのそれぞれに対するタッチ操作を実行することができる。
【００８１】
（第２の実施形態）
第２の実施形態に係る車載情報システム２００は、タッチパネル１１１上において、特定領域１１１ａとそれ以外の領域との境界を跨ぐドラッグ操作がなされた場合、車載機器２１０もしくは情報端末１５０が適切でない処理を実行することが抑制されるように構成されている。この点で車載情報システム２００は、車載情報システム１００とは異なる。
【００８２】
また、車載情報システム２００は、境界を跨ぐドラッグ操作を検知した場合、当該ドラッグ操作が終了するまでの間、当該ドラッグ操作の始点が属さない領域に対するタッチ操作を無視する。即ち、例えば、ユーザが車載機器２１０に割り当てられた領域（特定領域１１１ａ）から、車載機器２１０に割り当てられた領域（特定領域１１１ａ）と情報端末１５０に割り当てられた領域（特定領域１１１ａ以外の領域）との境界を跨いだドラッグ操作を行ったことが検知されてから、当該ドラッグ操作が終了することが検知されるまでの間、タッチ操作により指定された位置を示す情報が情報端末１５０に送信されないように、車載情報システム２００が構成されている。
【００８３】
このため、ユーザが、車載機器２１０に割り当てられた領域（特定領域１１１ａ）に対してドラッグ操作をしているときに、誤って情報端末１５０に割り当てられた領域（特定領域１１１ａ以外の領域）を操作してしまっても、情報端末１５０が誤って動作することを未然に防ぐことができる。
【００８４】
以下、このような構成を備える車載情報システム２００について説明する。なお、第１の実施形態に係る車載情報システム１００と同一のものには同一の符号を付し、適宜説明を省略する。なお、第２の実施形態に係る車載情報システム２００は、外観、構成（図１、２）においては第１の実施形態に係る車載情報システム１００と同様である。一方、車載情報システム２００は、ＲＯＭに格納されているプログラムが車載情報システム１００と異なる。
【００８５】
車載情報システム２００は、車載機器２１０、情報端末１５０を備える。
【００８６】
車載機器２１０は、車載機器１１０と同様に、タッチパネル１１１、機能ボタン１１２、制御部１１３、記憶装置１１４、通信部１１５を備える。タッチパネル１１１、機能ボタン１１２、記憶装置１１４、通信部１１５は、制御部１１３に接続されている。
【００８７】
制御部１１３は、ＣＰＵ１１３ａ、ＲＯＭ１１３ｂ、ＲＡＭ１１３ｃ等を備え、車載機器２１０が備える各部の動作を制御する。
【００８８】
ＲＯＭ１１３ｂには、ドラッグ操作検出プログラム等が格納されている。ドラッグ操作検出プログラムは、制御部１１３が後述するドラッグ操作検出部２１３１として機能するためのプログラムであり、ＣＰＵ１１３ａによって実行される。
【００８９】
ＲＡＭ１１３ｃは、ＣＰＵ１１３ａがＲＯＭ１１３ｂに格納されている各種プログラムを実行するためのワークエリアである。
【００９０】
また、車載機器２１０は、図８の機能ブロック図に示すように、特定領域検出部１１３１、車載機器画像生成部１１３２、合成画像生成部１１３３、表示制御部１１３４、処理実行部１１３５、位置指定受付部１１３６、位置判別部１１３７、位置情報供給部１１３８、ドラッグ操作検出部２１３１、画像受信部１１５１、位置情報送信部１１５２、を備える。
【００９１】
ドラッグ操作検出部２１３１は、ＣＰＵ１１３ａがＲＯＭ１１３ｂに格納されているドラッグ操作検出プログラムを実行することによって実現される。なお、ドラッグ操作検出部２１３１の詳細は、シーケンス図を用いて後述する。
【００９２】
以下、上記構成を有する車載情報システム２００のドラッグ操作処理（ドラッグ操作を検出する処理と、当該ドラッグ操作に応じた処理）を、図９に示すシーケンス図を参照して説明する。前提として、図６（Ｃ）に例示されるような合成画像１１１ｄがタッチパネル１１１に表示されているものとする。
【００９３】
（ドラッグ操作処理）
まず、制御部１１３（ドラッグ操作検出部２１３１）は、制御部１１３（位置指定受付部１１３６）によって受け付けられた指定に基づいてドラッグ操作が行われたか否かを判別する（ステップＡ３１）。
【００９４】
具体的には、例えば、制御部１１３（位置指定受付部１１３６）が連続的な位置の指定を受け付けた場合に、制御部１１３（ドラッグ操作検出部２１３１）は、当該指定に係る操作をドラッグ操作として検出する。
【００９５】
続いて、制御部１１３（ドラッグ操作検出部２１３１）は、ドラッグ操作を検出した場合（ステップＡ３１：ＹＥＳ）、検出されたドラッグ操作が、特定領域１１１ａとそれ以外の領域との境界を跨ぐドラッグ操作であるか否かを判別する（ステップＡ３２）。なお、制御部１１３（ドラッグ操作検出部２１３１）は、ドラッグ操作が行われていないと判別した場合（ステップＡ３１：ＮＯ）、ドラッグ操作が行われていると判別するまで、ステップＡ３１の動作を繰り返す。
【００９６】
制御部１１３（ドラッグ操作検出部２１３１）が、検出されたドラッグ操作は特定領域１１１ａとそれ以外の領域との境界を跨ぐドラッグ操作でないと判別すると（ステップＡ３２：ＮＯ）、当該ドラッグ操作が特定領域１１１ａ内でのドラッグ操作か否か（特定領域１１１ａ内でのドラッグ操作かそれ以外の領域内でのドラッグ操作か）を判別する（ステップＡ３６）。
【００９７】
制御部１１３（ドラッグ操作検出部２１３１）が、当該ドラッグ操作は特定領域１１１ａ内でのドラッグ操作であると判別した場合（ステップＡ３６：ＹＥＳ）、処理はステップＡ３４へ進む。一方、制御部１１３（ドラッグ操作検出部２１３１）が、当該ドラッグ操作は特定領域１１１ａ内でのドラッグ操作でない（それ以外の領域内でのドラッグ操作である）と判別した場合（ステップＡ３６：ＮＯ）、処理はステップＡ３７へ進む。
【００９８】
一方、制御部１１３（ドラッグ操作検出部２１３１）が、検出されたドラッグ操作は特定領域１１１ａとそれ以外の領域との境界を跨ぐドラッグ操作であると判別した場合（ステップＡ３２：ＹＥＳ）、当該ドラッグ操作が特定領域１１１ａを始点とするドラッグ操作であるかを判別する（ステップＡ３３）。
【００９９】
制御部１１３（ドラッグ操作検出部２１３１）が、当該ドラッグ操作は特定領域１１１ａからそれ以外の領域へのドラッグ操作であると判別した場合（ステップＡ３３：ＹＥＳ）、制御部１１３（位置情報供給部１１３８）は、当該指定に基づく位置から求められる、車載機器画像１１１ｃ内における位置を示す情報を制御部１１３（処理実行部１１３５）に供給する（ステップＡ３４）。
【０１００】
制御部１１３（処理実行部１１３５）は、供給された情報に基づいて、車載機器２１０が備える機能（ラジオ機能）を実現するための処理を実行する（ステップＡ３５）。
【０１０１】
一方、制御部１１３（ドラッグ操作検出部２１３１）が、当該ドラッグ操作は特定領域１１１ａを始点とするドラッグ操作でない（当該ドラッグ操作はそれ以外の領域を始点とするドラッグ操作）と判別すると（ステップＡ３３：ＮＯ）、制御部１１３（位置情報供給部１１３８）は、当該指定に基づく位置を示す情報を情報端末１５０に送信する（ステップＡ３７）。
【０１０２】
情報端末１５０は、通信部１５４（位置情報受信部１５４２）を介して当該指定に基づく位置を示す情報を受信する（ステップＢ３１）。
【０１０３】
次に、制御部１５２（処理実行部１５２２）は、受信した情報に基づき、情報端末１５０が備える機能を実現するための処理を実行する（カーナビ機能用プログラム１５３ａを実行する）（ステップＢ３２）。
【０１０４】
このようにして、車載情報システム２００は、特定領域１１１ａとそれ以外の領域とを跨ぐドラッグ操作により、誤動作が生じることを抑制する。
【０１０５】
以上説明したように、第２の実施形態に係る車載情報システム２００によれば、ユーザは、車載機器２１０が備えるタッチパネル１１１に表示される合成画像１１１ｄを参照して、車載機器２１０と情報端末１５０とのそれぞれに対するドラッグ操作を実行することができる。ここで、第２の実施形態に係る車載情報システム２００によれば、特定領域１１１ａとそれ以外の領域との境界を跨ぐドラッグ操作がなされた際に、ユーザが予期しない指示を車載情報システム２００に与えることを未然に防ぐことができる。
【０１０６】
上記第１の実施形態では、タッチ位置が特定領域１１１ａ内に属すると判別された場合（ステップＡ２２：ＹＥＳ）、制御部１１３（位置情報供給部１１３８）は、タッチ位置を示す情報を制御部１１３（処理実行部１１３５）に出力していた（ステップＡ２３）。
【０１０７】
本発明において、タッチ位置が特定領域１１１ａ内に属すると判別された場合（ステップＡ２２：ＹＥＳ）、さらに、通信部１１５（位置情報送信部１１５２）が、タッチ位置を示す情報を通信部１５４（位置情報受信部１５４２）に送信するようにしてもよい。この場合、情報端末１５０は、受信したタッチ位置を示す情報を破棄してもよい。
【０１０８】
上記第１の実施形態では、タッチ位置が特定領域１１１ａ外に属すると判別された場合（ステップＡ２２：ＮＯ）、通信部１１５（位置情報送信部１１５２）が、タッチ位置を示す情報を通信部１５４（位置情報受信部１５４２）に送信していた（ステップＡ２５）。
【０１０９】
本発明において、タッチ位置が特定領域１１１ａ外に属すると判別した場合（ステップＡ２２：ＮＯ）、タッチ位置を示す情報を破棄し、タッチ位置を示す情報を通信部１５４（位置情報受信部１５４２）に送信しないようにしてもよい。
【０１１０】
このような構成によると、車載機器１１０の機能を使用するために機能ボタン１１２を押下したユーザが、誤って情報端末画像１１１ｂに触れてしまっても、タッチ位置を示す情報は情報端末１５０に送信されない。このため、情報端末１５０にユーザが誤った指示を与えることを未然に防ぐことができる。
【０１１１】
上記実施形態では、車載機器１１０、２１０の機能は、ラジオ機能、ＣＤ機能であったが、これらに限られず、任意の機能を適用可能である。
【０１１２】
また、情報端末１５０の機能は、カーナビゲーション機能であったが、これに限られず、任意の機能を適用可能である。
【０１１３】
例えば、車載機器１１０、２１０の機能として、車載機器１１０、２１０を搭載する自動車の後方を写すためのカメラ機能を適用し、情報端末１５０の機能として、ＣＤ機能を適用してもよい。
【０１１４】
この場合、図１０（Ａ）に示すような車載機器画像（カメラ機能に関わる画像）１１１ｃが、図１０（Ｂ）に示すように、合成画像１１１ｄ上において、大部分を占めるように特定領域１１１ａを設定してもよい。
【０１１５】
また、上記実施形態に係る車載機器１１０、２１０の機能ボタン１１２は、ハードウェアキーから構成されていたが、ソフトウェアキーから構成されてもよい。
【０１１６】
この場合、図１１に示すように、タッチパネル１１１上に、情報端末１５０の機能に関わる画像を表示しない領域１１１ｅを設け、この領域１１１ｅにソフトウェアキーから構成される機能ボタン１１２を配置してもよい。
【０１１７】
また、上記実施形態では、特定領域１１１ａのサイズが、縦横のピクセル数によって規定されていたが、これに限られない。例えば、特定領域１１１ａのサイズが、「左上座標」と「右下座標」とによって規定されていてもよい。この場合、例えば、図１２（Ａ）に示すように、サイズ指定情報１１４ｃが「左上座標」と「右下座標」とを示す情報を含むように構成されてもよい。
【０１１８】
また、図１２（Ａ）に示すように、サイズ指定情報１１４ｃが「左上座標」と「右下座標」とを示す情報を含むように構成されると、特定領域１１１ａのサイズだけではなく位置も規定される。この場合、情報端末１５０は、「左上座標」と「右下座標」とによって規定された位置に、特定領域１１１ａを設ける。
【０１１９】
また、上記実施形態では、特定領域１１１ａのサイズが、サイズ指定情報１１４ｃによって予め規定されていた。本発明において、図１２（Ｂ）に示すように、さらに、特定領域１１１ａを構成する画素の「色」（例えばＲＧＢ）が、色指定情報によって予め規定されてもよい。
【０１２０】
図１２（Ｂ）に示す例では、色指定情報が含む色の情報は、単一の値であるが、これに限られず、所定の範囲（例えば、±１０の範囲）の値でもよい。
【０１２１】
また、上記実施形態では、制御部１５２（情報端末画像生成部１５２１）は矩形の特定領域１１１ａを生成していたが、特定領域１１１ａの形状は矩形に限定されない。特定領域１１１ａの形状は、多角形、円形等任意である。
【０１２２】
例えば、制御部１５２（情報端末画像生成部１５２１）が円形の特定領域１１１ａを生成するように構成する場合、図１２（Ｃ）に示すように、特定領域１１１ａの「半径」を示す情報を含むように、サイズ指定情報１１４ｃを構成してもよい。この場合、制御部１５２（情報端末画像生成部１５２１）は、サイズ指定情報１１４ｃが含む、「半径」を示す情報に基づくサイズを有する特定領域１１１ａを設ける。
【０１２３】
また、コンピュータがプログラムを実行することで、車載情報システム１００，２００の機能を実現してもよい。車載情報システム１００，２００の機能を実現するためのプログラムは、ＵＳＢ（Universal  Serial  Bus）メモリ、ＳＤメモリカード、ＣＤ−ＲＯＭ（Compact  Disc  Read  Only  Memory）、ＤＶＤ（Digital  Versatile  Disc）、ＢＤ（Blu-ray  Disc（登録商標））、ＨＤＤ（Hard  Disc  Drive）、ＳＳＤ（Solid  State  Drive）等のコンピュータ読み取り可能な記録媒体に記憶されてもよいし、ネットワークを介してコンピュータにダウンロードされてもよい。
【符号の説明】
【０１２４】
１００、２００                  車載情報システム
１１０、２１０                  車載機器
１５０                          情報端末
１１１、１５１                  タッチパネル
１１１ａ                        特定領域
１１１ｂ                        情報端末画像
１１１ｃ                        車載機器画像
１１１ｄ                        合成画像
１１１ｅ                        領域
１１２                          機能ボタン
１１２ａ                        ラジオボタン
１１２ｂ                        ＣＤボタン
１１２ｃ                        戻るボタン
１１３、１５２                  制御部
１１３ａ、１５２ａ              ＣＰＵ
１１３ｂ、１５２ｂ              ＲＯＭ
１１３ｃ、１５２ｃ              ＲＡＭ
１１４、１５３                  記憶装置
１１４ａ                        ラジオ機能用プログラム
１１４ｂ                        ＣＤ機能用プログラム
１１４ｃ                        サイズ指定情報
１５３ａ                        カーナビ機能用プログラム
１１５、１５４                  通信部
１１３１                        特定領域検出部
１１３２                        車載機器画像生成部
１１３３                        合成画像生成部
１１３４                        表示制御部
１１３５                        処理実行部
１１３６                        位置指定受付部
１１３７                        位置判別部
１１３８                        位置情報供給部
１１５１                        画像受信部
１１５２                        位置情報送信部
１５２１                        情報端末画像生成部
１５２２                        処理実行部
１５４１                        画像送信部
１５４２                        位置情報受信部
２１３１                        ドラッグ操作検出部
【図１】
2014024617.tif 000003
【図２】
2014024617.tif 000004
【図３】
2014024617.tif 000005
【図４】
2014024617.tif 000006
【図５】
2014024617.tif 000007
【図６】
2014024617.tif 000008
【図７】
2014024617.tif 000009
【図８】
2014024617.tif 000010
【図９】
2014024617.tif 000011
【図１０】
2014024617.tif 000012
【図１１】
2014024617.tif 000013
【図１２】
2014024617.tif 000014
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
情報端末から、輝度又は色度からなる特徴値が互いに同一である画素により構成された特定の領域を有する情報端末画像を受信する画像受信部と、
前記画像受信部によって受信された前記情報端末画像を構成する画素の前記特徴値に基づいて、前記情報端末画像内において前記特定の領域を検出する特定領域検出部と、
情報機器が備える機能に関わる情報機器画像を生成する情報機器画像生成部と、
前記情報端末画像内における、前記特定領域検出部によって検出された特定の領域に、前記情報機器画像生成部により生成された前記情報機器画像が埋め込まれた合成画像を生成する合成画像生成部と、
前記合成画像生成部によって生成された合成画像を表示装置に表示する表示制御部と、
を備えることを特徴とする情報機器。
【請求項２】
前記情報機器が備える機能を実現するための処理を実行する処理実行部と、
前記表示制御部によって表示された合成画像内における位置の指定を受け付ける位置指定受付部と、
前記位置指定受付部によって受け付けられた指定に基づく位置が、前記特定の領域とそれ以外の領域とのどちらに属するかを判別する位置判別部と、
前記位置判別部によって、前記指定に基づく位置が前記特定の領域に属すると判別された場合、前記指定に基づく位置から求められる、前記情報機器画像内における位置を示す情報を前記処理実行部に供給する位置情報供給部と、を更に備え、
前記処理実行部は、前記位置情報供給部から供給された情報に基づいて、前記機能を実現するための処理を実行する、
ことを特徴とする請求項１に記載の情報機器。
【請求項３】
前記位置指定受付部によって受け付けられた指定に基づいて、前記特定の領域と前記それ以外の領域との境界を跨ぐ、前記それ以外の領域を始点とするドラッグ操作である第１のドラッグ操作を検出する第１のドラッグ操作検出部、を更に備え、
前記位置情報供給部は、前記第１のドラッグ操作検出部によって、前記第１のドラッグ操作が検出された場合、前記第１のドラッグ操作検出部によって前記第１のドラッグ操作が検出されなくなるまで、前記情報機器画像内における位置を示す情報を前記処理実行部に供給しない、
ことを特徴とする請求項２に記載の情報機器。
【請求項４】
前記表示制御部によって表示された合成画像内における位置の指定を受け付ける位置指定受付部と、
前記位置指定受付部によって受け付けられた指定に基づく位置が、前記特定領域とそれ以外の領域とのどちらに属するかを判別する位置判別部と、
前記位置判別部によって、前記指定に基づく位置が前記それ以外の領域に属すると判別された場合、前記指定に基づく位置を示す情報を前記情報端末に送信する位置情報送信部と、を更に備える、
ことを特徴とする請求項２又は３に記載の情報機器。
【請求項５】
前記位置指定受付部によって受け付けられた指定に基づいて、前記特定の領域と前記それ以外の領域との境界を跨ぐ、前記特定の領域を始点とするドラッグ操作である第２のドラッグ操作を検出する第２のドラッグ操作検出部、を更に備え、
前記位置情報送信部は、前記第２のドラッグ操作検出部によって前記第２のドラッグ操作が検出された場合、前記第２のドラッグ操作検出部によって前記第２のドラッグ操作が検出されなくなるまで、前記指定に基づく位置を示す情報を前記情報端末に送信しない、
ことを特徴とする請求項４に記載の情報機器。
【請求項６】
輝度又は色度からなる特徴値が互いに同一である画素により構成された特定の領域を有する情報端末画像を生成する情報端末画像生成部と、
前記情報端末画像生成部が生成した前記情報端末画像を情報機器に送信する画像送信部と、を備える情報端末と、
前記情報端末から、前記情報端末画像を受信する画像受信部と、
前記画像受信部によって受信された前記情報端末画像を構成する画素の前記特徴値に基づいて、前記情報端末画像内において前記特定の領域を検出する特定領域検出部と、
情報機器が備える機能に関わる情報機器画像を生成する情報機器画像生成部と、
前記情報端末画像内における、前記特定領域検出部によって検出された特定の領域に、前記情報機器画像生成部により生成された前記情報機器画像が埋め込まれた合成画像を生成する合成画像生成部と、
前記合成画像生成部によって生成された合成画像を表示装置に表示する表示制御部と、を備える情報機器と、
を備えることを特徴とする情報システム。
【請求項７】
情報端末から、輝度又は色度からなる特徴値が互いに同一である画素により構成された特定の領域を有する情報端末画像を受信する画像受信ステップと、
前記画像受信ステップによって受信された前記情報端末画像を構成する画素の前記特徴値に基づいて、前記情報端末画像内において前記特定の領域を検出する特定領域検出ステップと、
情報機器が備える機能に関わる情報機器画像を生成する情報機器画像生成ステップと、
前記情報端末画像内における、前記特定領域検出ステップによって検出された特定の領域に、前記情報機器画像生成ステップにより生成された前記情報機器画像が埋め込まれた合成画像を生成する合成画像生成ステップと、
前記合成画像生成ステップによって生成された合成画像を表示装置に表示する表示制御ステップと、
を含むことを特徴とする画像合成方法。
【請求項８】
コンピュータに、
情報端末から、輝度又は色度からなる特徴値が互いに同一である画素により構成された特定の領域を有する情報端末画像を受信する画像受信処理と、
前記画像受信処理によって受信された前記情報端末画像を構成する画素の前記特徴値に基づいて、前記情報端末画像内において前記特定の領域を検出する特定領域検出処理と、
情報機器が備える機能に関わる情報機器画像を生成する情報機器画像生成処理と、
前記情報端末画像内における、前記特定領域検出処理によって検出された特定の領域に、前記情報機器画像生成処理により生成された前記情報機器画像が埋め込まれた合成画像を生成する合成画像生成処理と、
前記合成画像生成処理によって生成された合成画像を表示装置に表示する表示制御処理と、
を実行させることを特徴とするプログラム。
【手続補正３】
【補正対象書類名】明細書
【補正対象項目名】０００１
【補正方法】変更
【補正の内容】
【０００１】
本発明は、情報機器、情報システム、画像合成方法及びプログラムに関する。
【手続補正４】
【補正対象書類名】明細書
【補正対象項目名】０００６
【補正方法】変更
【補正の内容】
【０００６】
本発明は、上記実情に鑑みてなされたものであり、重要な領域が隠れないように、情報端末から受信した画像と車載機器の機能に関わる画像とを合成して表示することが可能な情報機器、情報システム、画像合成方法及びプログラムを提供することを目的とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また、本発明の第２の観点に係る情報システムは、
輝度又は色度からなる特徴値が互いに同一である画素により構成された特定の領域を有する情報端末画像を生成する情報端末画像生成部と、
前記情報端末画像生成部が生成した前記情報端末画像を情報機器に送信する画像送信部と、を備える情報端末と、
前記情報端末から、前記情報端末画像を受信する画像受信部と、
前記画像受信部によって受信された前記情報端末画像を構成する画素の前記特徴値に基づいて、前記情報端末画像内において前記特定の領域を検出する特定領域検出部と、
情報機器が備える機能に関わる情報機器画像を生成する情報機器画像生成部と、
前記情報端末画像内における、前記特定領域検出部によって検出された特定の領域に、前記情報機器画像生成部により生成された前記情報機器画像が埋め込まれた合成画像を生成する合成画像生成部と、
前記合成画像生成部によって生成された合成画像を表示装置に表示する表示制御部と、を備える情報機器と、
を備えることを特徴とする。
【手続補正７】
【補正対象書類名】明細書
【補正対象項目名】００１４
【補正方法】変更
【補正の内容】
【００１４】
また、本発明の第３の観点に係る画像合成方法は、
情報端末から、輝度又は色度からなる特徴値が互いに同一である画素により構成された特定の領域を有する情報端末画像を受信する画像受信ステップと、
前記画像受信ステップによって受信された前記情報端末画像を構成する画素の前記特徴値に基づいて、前記情報端末画像内において前記特定の領域を検出する特定領域検出ステップと、
情報機器が備える機能に関わる情報機器画像を生成する情報機器画像生成ステップと、
前記情報端末画像内における、前記特定領域検出ステップによって検出された特定の領域に、前記情報機器画像生成ステップにより生成された前記情報機器画像が埋め込まれた合成画像を生成する合成画像生成ステップと、
前記合成画像生成ステップによって生成された合成画像を表示装置に表示する表示制御ステップと、
を含むことを特徴とする。
【手続補正８】
【補正対象書類名】明細書
【補正対象項目名】００１５
【補正方法】変更
【補正の内容】
【００１５】
また、本発明の第４の観点に係るプログラムは、
コンピュータに、
情報端末から、輝度又は色度からなる特徴値が互いに同一である画素により構成された特定の領域を有する情報端末画像を受信する画像受信処理と、
前記画像受信処理によって受信された前記情報端末画像を構成する画素の前記特徴値に基づいて、前記情報端末画像内において前記特定の領域を検出する特定領域検出処理と、
情報機器が備える機能に関わる情報機器画像を生成する情報機器画像生成処理と、
前記情報端末画像内における、前記特定領域検出処理によって検出された特定の領域に、前記情報機器画像生成処理により生成された前記情報機器画像が埋め込まれた合成画像を生成する合成画像生成処理と、
前記合成画像生成処理によって生成された合成画像を表示装置に表示する表示制御処理と、
を実行させることを特徴とする。
【手続補正９】
【補正対象書類名】明細書
【補正対象項目名】００１６
【補正方法】変更
【補正の内容】
【００１６】
本発明によれば、重要な領域が隠れないように、情報端末から受信した画像と情報機器の機能に関わる画像とを合成して表示することが可能な情報機器、情報システム、画像合成方法及びプログラムを提供することができる。
【国際調査報告】
2014024617.tif 000015
2014024617.tif 000016
2014024617.tif 000017
2014024617.tif 000018